(57)【要約】【課題】  パケットトランスポートを用いて基幹網を構築する場合、長距離伝送を行う際に再生中継機能もつ再生中継装置が必要である。また、同期伝送を行うクライアント信号をパケットトランスポートに収容するには、クライアント装置間の同期状態を維持する必要があるため、基準となるクロック信号をパケットトランスポートにより配信する必要がある。しかしながら、パケットトランスポートでは、通信パケットを用いた非同期伝送を行うため、再生中継を行う際に、クロック信号の透過伝送を実現することが困難であるという課題があった。【解決手段】    ノード間で通信パケットを中継するパケットトランスポート用の再生中継装置であって、前記通信パケットからクロック信号を抽出する３Ｒ回路と、前記通信パケットを識別条件により判定する識別回路とを備え、前記抽出したクロック信号に同期して次ノードに通信パケットを伝送することを特徴とする再生中継装置。【選択図】  図７
2012253528.tif 000002
【特許請求の範囲】
【請求項１】
ノード間で通信パケットを中継するパケットトランスポート用の再生中継装置であって、前記通信パケットからクロック信号を抽出する３Ｒ回路と、前記通信パケットを識別条件により判定する識別回路とを備え、前記抽出したクロック信号に同期して次ノードに通信パケットを伝送することを特徴とするパケットトランスポート用再生中継装置。
【請求項２】
前記識別条件は、前記識別回路を通過する前記通信パケットの透過、終端、廃棄であることを特徴とする、請求項１記載のパケットトランスポート用再生中継装置。
【請求項３】
前記識別回路による判定結果が、前記通信パケットの透過である場合、前記抽出したクロック信号に同期して次ノードに通信パケットを伝送することを特徴とする、請求項１又は請求項２記載のパケットトランスポート用再生中継装置。
【請求項４】
ノード間で通信パケットを中継するパケットトランスポート用の再生中継装置であって、
入力された光信号を電気信号に変換する光／電気変換回路と、前記電気信号の波形整形を行うとともに、前記電気信号に重畳されたクロック信号のタイミングの抽出を行ない、抽出したタイミングからクロック信号の再生を行う３Ｒ回路と、前記電気信号の復号化処理を実施し、復号した通信パケットを出力する第1のＰＨＹ回路と、前記通信パケットを識別条件により判定する識別回路と、前記識別条件により判定された通信パケットの送信順序を制御するスケジューラ回路と、前記識別条件により判定された通信パケットの誤りの有無を判定するＭＡＣ回路と、前記誤りの有無を判定された通信パケットの保守運用管理を行うＯＡＭ処理回路と、前記スケジューラ回路から出力された通信パケットの符号化処理を実施する第２のＰＨＹ回路と、前記符号化処理を実施した電気信号を光信号に変換する電気／光変換回路とを備え、前記識別回路は、前記通信パケットの判定結果に応じて前記スケジューラ回路もしくは、前記ＭＡＣ回路もしくは、前記スケジューラ回路とＭＡＣ回路双方に前記通信パケットを転送することを特徴とする、パケットトランスポート用再生中継装置。
【請求項５】
前記識別条件は、前記識別回路を通過する前記通信パケットの透過、終端、廃棄であることを特徴とする、請求項４記載のパケットトランスポート用再生中継装置。
【請求項６】
前記識別回路による判定結果が、前記通信パケットの透過である場合、前記抽出したクロック信号に同期して次ノードに通信パケットを伝送することを特徴とする、請求項４又は請求項５記載のパケットトランスポート用再生中継装置。
【発明の詳細な説明】
【技術分野】
【０００１】
本発明は、光伝送システムに係り、特にパケット・ベースの通信方式による伝送を行う場合において、長距離伝送を行う際に用いる再生中継装置に関する。
【背景技術】
【０００２】
従来、基幹網においてはＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）を用いた通信網が広く構築されている。ＳＯＮＥＴ／ＳＤＨでは、保守監視情報を通信フレーム内のオーバヘッドに格納することにより、豊富な監視機能が実現されている。また、再生中継セクション、多重セクション、高次パス、低次パスの階層構造を構成することにより伝送区間の階層化を実現しており、それぞれの階層において障害管理を行うことにより、障害発生箇所やサービスもしくはユーザへの波及範囲が分かるように管理されている。さらにタンデムコネクション機能により、保守者が管理を行う為の保守区間を任意に定義可能とすることにより、保守性の高い堅固な基幹網を提供している。ＳＤＨにおける階層化管理の規定については非特許文献１に記載がある。近年、ＩＰ（Ｉｎｔｅｒｎｅｔ  Ｐｒｏｔｏｃｏｌ）に代表されるパケット・ベースのサービスとＳＯＮＥＴ／ＳＤＨに代表されるレガシー系サービスを共通の基幹網へ効率的に収容する技術としてパケット・ベースの通信方式を用いたパケットトランスポートに関する研究が盛んである。
【０００３】
パケットトランスポートを実現する技術の一つとして、ＭＰＬＳ−ＴＰ（Ｍｕｌｔｉｐｒｏｔｏｃｏｌ Ｌａｂｅｌ Ｓｗｉｔｃｈｉｎｇ−Ｔｒａｎｓｐｏｒｔ Ｐｒｏｆｉｌｅ）が存在する。ＭＰＬＳ−ＴＰについては、非特許文献２（ＲＦＣ５９２１）に記載があり、Ｔ１／ＤＳ１（Ｄｉｇｉｔａｌ  Ｓｉｇｎａｌ  １）／Ｅ１などの専用線、ＡＴＭ（Ａｓｙｎｃｈｒｏｎｏｕｓ  Ｔｒａｎｓｆｅｒ  Ｍｏｄｅ）、ＳＯＮＥＴ／ＳＤＨ、Ｆｒａｍｅ  Ｒｅｌａｙ、Ｅｔｈｅｒｎｅｔ（登録商標）などの多様なサービスを収容する事を可能とし、効率的に基幹網を構築することが可能な技術として期待されている。
【０００４】
また、パケットトランスポートを高い信頼性や通信品質の確保が求められる基幹網へ適用するにあたり、ＳＯＮＥＴ／ＳＤＨにおいてオーバヘッドを用いて実現していたのと同等の監視機能が必要とされている。そのため、パケットトランスポートでは監視制御用のＯＡＭ（Ｏｐｅｒａｔｉｏｎｓ、 Ａｄｍｉｎｉｓｔｒａｔｉｏｎ ａｎｄ Ｍａｉｎｔｅｎａｎｃｅ）プロトコルを拡充させている。ＯＡＭプロトコルとして、ＭＰＬＳ  ＯＡＭ、イーサネットＯＡＭや、ＭＰＬＳ−ＴＰ  ＯＡＭが存在している。さらに、Ｅｔｈｅｒｎｅｔにおいてクロック配信を実現する手段としてＳｙｎｃｈｒｏｎｏｕｓ  ＥｔｈｅｒｎｅｔおよびＥＳＭＣ（Ｅｔｈｅｒｎｅｔ  Ｓｙｎｃｈｒｏｎｉｚａｔｉｏｎ  Ｍｅｓｓａｇｉｎｇ  Ｃｈａｎｎｅｌ）が存在している。これらは、ＩＴＵ−Ｔ（Ｉｎｔｅｒｎａｔｉｏｎａｌ Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ Ｓｅｃｔｏｒ： 国際電気通信連合電気通信標準化部門）、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ：インターネット技術タスクフォース）等にて定められている。
【０００５】
また、イーサネットＯＡＭパケットではＭＥＬ（Ｍａｉｎｔｅｎａｎｃｅ  Ｅｎｔｉｔｙ  Ｇｒｏｕｐ  Ｌｅｖｅｌ）値を用いて伝送区間の階層を明示することにより、イーサネットＯＡＭパケットを受信するノードを識別しイーサネットＯＡＭパケットにより伝達される監視制御情報の伝達範囲を階層毎に変化させることにより、伝送区間の階層化を行うことが可能である。
【０００６】
一方、基幹網は広範囲にわたって敷設されるため長距離伝送を行う必要があるが、伝送距離が長くなるに従ってＳ／Ｎ（Ｓｉｇｎａｌ／Ｎｏｉｓｅ）比の劣化などが生じるため、適切な間隔で再生中継を行う必要がある。再生中継は３Ｒ機能、すなわち、減衰劣化したパルスを増幅する波形整形（Ｒｅｓｈａｐｉｎｇ）機能、パルスの有無を判定するタイミングの抽出を行うタイミング抽出（Ｒｅｔｉｍｉｎｇ）機能、パルス有と判定したタイミングでパルスの再生を行う識別再生（Ｒｅｇｅｎｅｒａｔｉｎｇ）機能により実現される。従来のＳＯＮＥＴ／ＳＤＨでは、再生中継専用の再生中継装置を用いている。なお、非特許文献１にはＳＤＨの再生中継装置においてクロック信号を透過伝送する規定が存在する。クロック信号の透過伝送を実現するには、図１５のノード装置２００−１５において、上りクロック信号（８８−１）、上りクロック信号（８８−２）、下りクロック信号（８８−３）、下りクロック信号（８８−４）に対して数１および数２の関係が成立する必要がある。なお、クロック信号を終端した場合、数３または数４の関係が成立する。
【０００７】
【数１】
2012253528.tif 000003
【０００８】
【数２】
2012253528.tif 000004
【０００９】
【数３】
2012253528.tif 000005
【００１０】
【数４】
2012253528.tif 000006
【００１１】
特許文献１には、伝送装置のインタフェース盤に搭載されたクロック生成部で生成した任意の周波数のクロックを用いることにより、マルチレート信号処理を可能にする発明について記載がある。特許文献２には、ＯＴＮ光伝送網を用いて基幹網を構築し、イーサネットなどの各種クライアント信号をＯＴＮのＯｃｈフレームにマッピングし、マルチレート対応の再生中継盤を用いることにより再生中継を行う技術についての記載がある。特許文献３には、ＳＤＨにおける中継装置の構成例とＳＤＨにおける中継装置を用いることにより、セクション・オーバヘッドとオーバヘッド・クロックとを外部出力する技術についての記載がある。
【先行技術文献】
【特許文献】
【００１２】
【特許文献１】特開２００８−２２７９９３号公報
【特許文献２】特開２００８−２５８７０１号公報
【特許文献３】特開平９−３０７５２３号公報
【非特許文献】
【００１３】
【非特許文献１】ＩＴＵ−Ｔ Ｒｅｃｏｍｍｅｎｄａｔｉｏｎ Ｇ．８０３  Ａｒｃｈｉｔｅｃｔｕｒｅ  ｏｆ ｔｒａｎｓｐｏｒｔ ｎｅｔｗｏｒｋｓｂａｓｅｄ ｏｎ ｔｈｅ  ｓｙｎｃｈｒｏｎｏｕｓ ｄｉｇｉｔａｌ ｈｉｅｒａｒｃｈｙ （ＳＤＨ）」、２０００年３月、ＩＴＵ−Ｔ
【非特許文献２】Ｍ．  Ｂｏｃｃｉ他「 Ａ Ｆｒａｍｅｗｏｒｋ ｆｏｒ ＭＰＬＳ ｉｎ Ｔｒａｎｓｐｏｒｔ  Ｎｅｔｗｏｒｋｓ」、２０１０年７月、ＩＥＴＦ
【発明の概要】
【発明が解決しようとする課題】
【００１４】
パケットトランスポートを用いて基幹網を構築する場合でも、従来のＳＯＮＥＴ／ＳＤＨで構築した基幹網が備える機能と同等の機能が要求される。そのため、パケットトランスポートにおいても長距離伝送を行う際に再生中継機能もつ再生中継装置が必要である。また、ＳＯＮＥＴ／ＳＤＨなどの同期伝送を行うクライアント信号をパケットトランスポートに収容するには、クライアント装置間の同期状態を維持する必要があるため、基準となるクロック信号をパケットトランスポートにより配信する必要がある。しかしながら、パケットトランスポートでは通信パケットを用いた非同期伝送を行うため、再生中継を行う際にクロック信号の透過伝送を実現することが困難であるという課題があった。
【００１５】
更に、パケットトランスポートにおいてイーサネットＯＡＭよりも上位レイヤにおいてＯＡＭを実現するには、イーサネットＯＡＭに加えてＭＰＬＳ  ＯＡＭなどのＯＡＭプロトコルを用いる必要がある。より高度なＯＡＭ機能を実現する為にもイーサネットＯＡＭ、ＭＰＬＳ  ＯＡＭ、ＭＰＬＳ−ＴＰ ＯＡＭ等の複数種類のＯＡＭプロトコルへの対応ニーズが高まっている。しかしながら、ＭＰＬＳ  ＯＡＭのようにＭＥＬ値など伝送区間の階層を示す情報を格納するフィールドを持たないＯＡＭプロトコルを使用する場合、伝送区間の階層化を実現することができないという課題があった。
【００１６】
また、全体の通信量に対してＯＡＭパケットが占める割合は非常に少なく、再生中継時には殆どの通信パケットは単に通過するだけとなる。再生中継時に既存のスイッチング機能部を含むノード装置を用いると、主信号データを含む通信パケットと監視制御用のＯＡＭパケットの双方に対してスイッチング処理などを実施する必要があるため、単に通過するだけの通信パケットに対して伝送遅延時間が増加してしまうという課題があった。
【課題を解決するための手段】
【００１７】
パケット・ベース通信方式を行うノード装置であり、３Ｒ回路により再生中継を行い、上り信号と下り信号のそれぞれに重畳されるクロック信号をそれぞれ独立に処理することによりクロックの透過伝送を行い、ＯＡＭパケットを用いて監視制御に関する通信及び警報転送を行い、通信パケットの種別に応じて実行する処理をユーザにより設定可能とし、識別回路で設定に応じて通信パケットを処理する。
【００１８】
具体的には、ノード間で通信パケットを中継するパケットトランスポート用の再生中継装置であって、前記通信パケットからクロック信号を抽出する３Ｒ回路と、前記通信パケットを識別条件により判定する識別回路とを備え、前記抽出したクロック信号に同期して次ノードに通信パケットを伝送することを特徴とする。
【００１９】
前記識別条件は、前記識別回路を通過する前記通信パケットの透過、終端、廃棄であることを特徴とする。
【００２０】
前記識別回路による判定結果が前記通信パケットの透過である場合、前記抽出したクロック信号に同期して次ノードに通信パケットを伝送することを特徴とする。
【００２１】
ノード間で通信パケットを中継するパケットトランスポート用の再生中継装置は、入力された光信号を電気信号に変換する光／電気変換回路と、前記電気信号の波形整形を行うとともに、前記電気信号に重畳されたクロック信号のタイミングの抽出を行ない、抽出したタイミングからクロック信号の再生を行う３Ｒ回路と、前記電気信号の復号化処理を実施し、復号した通信パケットを出力する第1のＰＨＹ回路と、前記通信パケットを識別条件により判定する識別回路と、前記識別条件により判定された通信パケットの送信順序を制御するスケジューラ回路と、前記識別条件により判定された通信パケットの誤りの有無を判定するＭＡＣ回路と、前記誤りの有無を判定された通信パケットの保守運用管理を行うＯＡＭ処理回路と、前記スケジューラ回路から出力された通信パケットの符号化処理を実施する第２のＰＨＹ回路と、前記符号化処理を実施した電気信号を光信号に変換する電気／光変換回路と、を備え、前記識別回路は、前記通信パケットの判定結果に応じて前記スケジューラ回路もしくは、前記ＭＡＣ回路もしくは、前記スケジューラ回路とＭＡＣ回路双方に前記通信パケットを転送することを特徴とする。
【００２２】
前記識別条件は、前記識別回路を通過する前記通信パケットの透過、終端、廃棄であることを特徴とする。
【００２３】
前記識別回路による判定結果が前記通信パケットの透過である場合、前記抽出したクロック信号に同期して次ノードに通信パケットを伝送することを特徴とする。
【発明の効果】
【００２４】
本発明によってパケットトランスポートにおける再生中継装置を構成することが可能となり、パケットトランスポートにおける再生中継装置でクロック信号の透過伝送を実現することが可能となる。また、本発明によりイーサネットＯＡＭ、ＭＰＬＳ  ＯＡＭ、ＭＰＬＳ−ＴＰ  ＯＡＭなどを用いて柔軟な階層化構造を実現することが可能となる。さらに、再生中継時に生じる伝送遅延時間を短時間に抑える事が可能となり、高品質な通信網を構築する事が可能となる。
【図面の簡単な説明】
【００２５】
【図１】パケットトランスポートを用いた通信網のブロック図である。
【図２】レイヤ２スイッチのブロック図である。
【図３】レイヤ２スイッチの高速インタフェース盤のブロック図である。
【図４】ＳＯＮＥＴ／ＳＤＨにおけるセクションの構成例とパケットトランスポートにおける階層化構造の構成例である。
【図５】本発明を適用するパケットトランスポートを用いた通信網のブロック図である。
【図６】再生中継装置のブロック図である。
【図７】再生中継機能部および共通機能部のブロック図である。
【図８】ＭＡＣフレームのメッセージフォーマットを説明する図である。
【図９】ＭＰＬＳ  ＯＡＭパケットのメッセージフォーマットを説明する図である。
【図１０】ラベルのフォーマットを説明する図である。
【図１１】イーサネットＯＡＭパケットのメッセージフォーマットを説明する図である。
【図１２】識別回路における処理を説明するフロー図である。
【図１３】識別回路における識別条件の例を説明する図である。
【図１４】識別回路における識別条件の別の例を説明する図である。
【図１５】ノード装置のブロック図である。
【発明を実施するための形態】
【００２６】
以下、実施例を図面を用いて説明する。なお、実質同一部位には同じ参照番号を振り説明は繰り返さない。
【実施例１】
【００２７】
最初にパケットトランスポートの基幹網へ適用例を図1に示す。基幹網５００−１は、ノード装置２００−１〜２００−６および、伝送路５１０−１〜５１０−６から構成される。なお、本適用例においては基幹網５００−１を構成するノード装置２００−１〜２００−６はリング状に配置されているが、Ｐｏｉｎｔ ｔｏ Ｐｏｉｎｔ接続、メッシュ接続、スター接続などの接続形態もしくは、これらの接続形態を組み合わせた接続形態でも構わない。
【００２８】
ノード装置２００−１、２００−３、２００−４、２００−６は、それぞれクライアント伝送路５１１−１〜５１１−４経由でクライアント装置３００−１〜３００−４に接続される。ノード装置２００−１は、制御信号線４１０−１経由で監視制御装置４００−１と接続される。ノード装置２００−１において監視制御装置４００−１から受信した監視制御信号を主信号に多重して転送することにより、監視制御装置４００−１と直接接続しなくてもノード装置２００−２〜２００−６を監視制御装置４００−１で監視することが可能である。
【００２９】
監視制御装置４００−１としては、Ｓ Ｎ Ｍ Ｐ ( S i m p l e N e t w o r k M a n a g e m e n t P r o t o c o l )やＴ Ｌ １ ( T r a n s a c t i o n L a n g u a g e １ )、ＣＭＩＰ（Ｃｏｍｍｏｎ  Ｍａｎａｇｅｍｅｎｔ  Ｉｎｆｏｒｍａｔｉｏｎ  Ｐｒｏｔｏｃｏｌ）などの通信プロトコルを使用したＮ Ｍ Ｓ ( N e t w o r k M a n a g e m e n t S y s t e m )などの監視制御装置が存在する。
【００３０】
ノード装置２００−３、２００−６は、クロック信号線８７−１、８７−２経由でＳＳＵ（Ｓｙｎｃｈｒｏｎｉｚａｔｉｏｎ  Ｓｕｐｐｌｙ  Ｕｎｉｔ）に接続されることにより、クロック配信経路であるクロックパスを形成する。図２にノード装置の構成例を示す。ノード装置２００−７は、高速インタフェース盤１０−１、１０−２、スイッチ機能部２０−１、クロック機能部２５−１、低速インタフェース盤３０−１〜３０−Ｎ、監視制御機能部４５−１から構成される。高速インタフェース盤１０−１、高速インタフェース盤１０−２および低速インタフェース盤３０−１〜３０−Ｎは、スイッチ機能部２０−１を介して接続される。低速インタフェース盤３０−１〜３０−Ｎは、収容するサービスに応じてクライアント伝送路に光ファイバ、ツイスト・ペア・ケーブル、同軸ケーブル、無線などの伝送媒体を使用してクライアント装置へ接続される。
【００３１】
監視制御機能部４５−１は、制御信号線４１０−１経由で監視制御装置４００−１と接続される。また、監視制御機能部４５−１は、監視制御バス４０−１経由で高速インタフェース盤１０−１、１０−２、スイッチ機能部２０−１、クロック機能部２５−１、低速インタフェース盤３０−１〜３０−Ｎと接続される。クロック機能部２５−１は、クロック信号線８７−３経由でＳＳＵ８４−３と接続される。また、クロック機能部２５−１は高速インタフェース盤１０−１、１０−２と接続される。
【００３２】
図３に高速インタフェース盤１０−１、２０−２、クロック機能部２５−１の構成例を示す。高速インタフェース盤１０−１は、光／電気変換回路５０−１、電気／光変換回路５５−１、インタフェース回路１５−１から構成される。同様に高速インタフェース盤１０−２は、光／電気変換回路５０−２、電気／光変換回路５５−２、インタフェース回路１５−２から構成される。
【００３３】
クロック機能部２５−１は、クロック回路８６−１、８６−２、セレクタ８２−１から構成される。また、クロック回路８６−１、８６−２は、ＥＥＣ（ｓｙｎｃｈｒｏｎｏｕｓ Ｅｔｈｅｒｎｅｔ Ｅｑｕｉｐｍｅｎｔ Ｃｌｏｃｋ）回路８３−１、８３−２、発振器８０−１、８０−２から構成される。ＳＳＵ８４−３から受信したクロックを配信する場合は、ＥＥＣ回路８３−１、８３−２の出力をＰＨＹ回路６０−４、６０−２で主信号に多重することによりクロック信号の伝送を行う。また、主信号に多重されたクロック信号をＳＳＵ８４−３へ配信する場合は、ＰＨＹ回路６０−３、６０−１で主信号からクロック信号を抽出し、ＥＥＣ回路８３−１、８３−２へ入力を行う。セレクタ８２−１では、ＥＥＣ回路８３−１とＥＥＣ回路８３−２から出力されるクロック信号を選択し、ＳＳＵ８４−３へクロック信号の配信を行う。ここで発振器８０−１、８０−２は、ＳＳＵからのクロック信号供給が途絶した場合などに備えて、周波数偏差の許容範囲が±４．６ｐｐｍの高精度な発振器が用いられる。クロックの透過伝送を行うには、ＰＨＹ回路６０−３、６０−１で主信号から抽出したクロック信号を、ＥＥＣ回路８３−１、８３−２経由で、ＰＨＹ回路６０−４、６０−２で主信号に重畳する。
【００３４】
光／電気変換回路５０−１および５０−２では、伝送路経由で受信した光信号を電気信号へと変換する。また、電気／光変換回路５５−１および５５−２では、電気信号を光信号へ変換し伝送路へ送出する。光／電気変換回路５０−１、５０−２および電気／光変換回路５５−１、５５−２としては、主信号の種別に応じてＧＢＩＣ（ＧｉｇａＢｉｔ Ｉｎｔｅｒｆａｃｅ Ｃｏｎｖｅｒｔｅｒ）、ＳＦＰ（Ｓｍａｌｌ  ｆｏｒｍ  Ｆａｃｔｏｒ  Ｐｌｕｇｇａｂｌｅ)、ＸＥＮＰＡＣＫ（１０Ｇｉｇａｂｉｔ Ｅｔｈｅｒｎｅｔ ｔｒａｎｓｃｅｉｖｅｒ ｐａｃｋａｇｅ）、Ｘ２、ＸＦＰ（１０ Ｇｉｇａｂｉｔ Ｓｍａｌｌ Ｆｏｒｍ Ｆａｃｔｏｒ Ｐｌｕｇｇａｂｌｅ）、ＳＦＰ＋（Ｓｍａｌｌ  Ｆｏｒｍ   Ｆａｃｔｏｒ  Ｐｌｕｇｇａｂｌｅ  Ｐｌｕｓ）、ＱＳＦＰ（Ｑｕａｄ  Ｓｍａｌｌ  Ｆｏｒｍ  Ｆａｃｔｏｒ  Ｐｌｕｇｇａｂｌｅ）、ＱＳＦＰ＋（Ｑｕａｄ  Ｓｍａｌｌ  Ｆｏｒｍ  Ｆａｃｔｏｒ  Ｐｌｕｇｇａｂｌｅ  Ｐｌｕｓ）、ＣＦＰ  ＭＳＡ（１００Ｇ  Ｆｏｒｍ−ｆａｃｔｏｒ  Ｐｌｕｇｇａｂｌｅ  Ｍｕｌｔｉ  Ｓｏｕｒｃｅ  Ａｇｒｅｅｍｅｎｔ）などの光モジュールが広く用いられている。
【００３５】
図４（ａ）は、ＳＯＮＥＴ／ＳＤＨにおけるセクションの構成例を示す。ＳＯＮＥＴ／ＳＤＨノード装置２０１−１、ＳＯＮＥＴ／ＳＤＨ再生中継装置１０１−１、ＳＯＮＥＴ／ＳＤＨノード装置２０１−２は伝送路５１０−７、５１０−８で接続されており、ＳＯＮＥＴ／ＳＤＨノード装置２０１−１、２０１−２間にＳＯＮＥＴ／ＳＤＨパス２７０−１を構成する。ＳＯＮＥＴ／ＳＤＨノード装置２０１−１、２０１−２間を端局セクション２１０−１、ＳＯＮＥＴ／ＳＤＨノード装置２０１−１とＳＯＮＥＴ／ＳＤＨ再生中継装置１０１−１間および、ＳＯＮＥＴ／ＳＤＨ再生中継装置１０１−１とＳＯＮＥＴ／ＳＤＨノード装置２０１−２間を中継セクション２１５−１、２１５−２とすることにより伝送区間の階層化が可能である。
【００３６】
また、図４（ｂ）はパケットトランスポートにおける階層化構造の構成例である。ノード装置２００−９、２００−１０間およびノード装置２００−１０、２００−１１間では、イーサネットＯＡＭのＭＥＬ値を"１"とし、ノード装置２００−９およびノード装置２００−１１間では、イーサネットＯＡＭのＭＥＬ値を"２"として、伝送区間に応じたＭＥＬ値を設定することにより伝送路区間の階層化が可能である。
【００３７】
本実施例では、イーサネットを適用したパケットトランスポートにおいて再生中継を行う例を説明する。まず、本発明を実施する通信網について図５を用いて説明する。図５に示す通信網は、パケットトランスポートによる通信を行うノード装置２００−１１〜２００−１４、再生中継装置１００−１および２００−２、伝送路５１０−１１〜５００−１６、クライアント伝送路５１１−９〜５１１−１２、クライアント装置３００−９〜３００−１２、監視制御装置４００−２、制御信号線４１０−２から構成される。
【００３８】
基幹網５００−２は、ノード装置２００−１１〜２００−１４および再生中継装置１００−１および１００−２、伝送路５１０−１１〜５１０−１６から構成される。ノード装置２００−１１〜２００−１４および再生中継装置１００−１および１００−２は、伝送路５１０−１１〜５１０−１６を介して相互に接続される。また、ノード装置２００−１１〜２００−１４は、クライアント伝送路５１１−１０〜５１１−１２を介してクライアント装置３００−９〜３００−１２に接続される。
【００３９】
クライアント装置３００−９〜３００−１２は、収容するサービスに応じてルータ、レイヤ２スイッチ、レイヤ３スイッチ、Ｔ１／ＤＳ１／Ｅ１などの専用線、ＡＴＭ、ＳＯＮＥＴ／ＳＤＨ、Ｆｒａｍｅ  Ｒｅｌａｙなどを用いることが可能である。クライアント伝送路５１１−１０〜５１１−１２は、光ファイバ、ツイスト・ペア・ケーブル、同軸ケーブル、無線などの伝送媒体を用いることが可能である。
【００４０】
ノード装置２００−１１は、制御信号線４１０−２経由で監視制御装置４００−２と接続される。監視制御装置４００−２は、ノード装置２００−１１〜２００−１４および再生中継装置１００−１、１００−２において制御信号を伝送路５１０−１１〜５１０−１６経由で送受信する事により、制御信号線４１０−２で直接接続されていないノード装置２００−１２〜２００−１４および再生中継装置１００−１および１００−２を監視制御する事が可能である。なお、監視制御装置４００−２は、必要に応じて複数のノード装置２００−１２〜２００−１４および再生中継装置１００−１、１００−２と監視制御線４１０−２経由で接続しても良い。
【００４１】
また、図５に示す監視制御装置４００−２は、クライアント装置３００−９〜３００−１２の監視、制御を実施しても良い。また、制御信号線４１０−２は、無線を使用する方式であっても良い。さらに、制御信号線４１０−２をＰＳＴＮ（Ｐｕｂｌｉｃ Ｓｗｉｔｃｈｅｄ Ｔｅｌｅｐｈｏｎｅ Ｎｅｔｗｏｒｋ）や専用線、ＶＰＮ（Ｖｉｒｔｕａｌ  Ｐｒｉｖａｔｅ  Ｎｅｔｗｏｒｋ）などの通信網に収容することにより、監視制御装置４００−２を遠隔地に設置することが可能である。なお、本明細書においてノード装置および再生中継装置を区別せずに説明する場合は、単に"ノード"という呼称を用いる。
【００４２】
次に、再生中継装置のブロック図について図６を用いて説明する。再生中継装置１００−３は、監視制御機能部４５−２、上り信号再生中継機能部９０、下り信号再生中継機能部９５、共通機能部８５から構成される。監視制御機能部４５−２は、監視制御バス４０−２経由で、上り信号再生中継機能部９０、下り信号再生中継機能部９５、共通機能部８５に接続される。また、上り信号再生中継機能部９０と共通機能部８５間および、下り信号再生中継機能部９５と共通機能部８５の間は、クロック信号線により接続される。そのため、監視制御装置４００−３は、制御信号線４１０−３で接続された再生中継装置１００−３を監視制御することが可能である。また、監視制御機能部４５−２は、制御信号線４１０−３経由で監視制御装置４００−３と接続することが可能である。なお、監視制御機能部４５−２と監視制御装置４００−３間の制御信号を主信号へ多重することにより、他のノードを経由して監視制御装置４００−３と論理的に接続する構成としても良い。
【００４３】
次に、再生中継装置１００−３の共通機能部８５、上り信号再生中継機能部９０、下り信号再生中継機能部９５のブロック図について図７を用いて説明する。共通機能部８５は、発振器８０−３、８０−４、セレクタ８２−２、８２−３、ＭＡＣ回路６５−５、６５−６、ＯＡＭ処理回路７０−２から構成される。上り信号再生中継機能部９０は、光／電気変換回路５０−３、３Ｒ回路９１−１、ＰＨＹ回路６０−５、６０−６、識別回路９７−１、スケジューラ回路９８−１、電気／光変換回路５５−３から構成される。下り信号再生中継機能部９５は、光／電気変換回路５０−４、３Ｒ回路９１−２、ＰＨＹ回路６０−７、６０−８、識別回路９７−２、スケジューラ回路９８−２、電気／光変換回路５５−４から構成される。なお、上り信号再生中継機能部９０と下り信号再生中継機能部９５の違いは信号の伝送方向の違いだけであり、構成としては同様の構成をとることが可能である。
【００４４】
光／電気変換回路５０−３では、伝送路経由で受信した光信号を電気信号へと変換する。３Ｒ回路９１−１では、シリアル・パラレル変換によりパラレル化を行い、主信号に重畳されたクロック信号の抽出を行うことにより、波形整形、タイミング抽出、識別再生の３Ｒ機能を実現する。抽出したクロック信号は、共通機能部８５内のセレクタ８２−２へ供給を行う。
【００４５】
セレクタ８２−２には、発振器８０−３からの出力も接続されており、主信号が断した場合などにセレクタ８２−２が発振器８０−３のクロック信号出力を選択することにより、ＰＨＹ回路６０−６へのクロック供給を継続することが可能である。セレクタ８２−２のクロック信号出力は、識別回路９７−１およびスケジューラ回路９８−１にも供給される。このように主信号に重畳されたクロック信号を基準クロックとすることにより、基準クロックと同期したクロック信号を主信号に重畳して出力を行うクロック信号の透過伝送が可能となる。再生中継装置の場合、クライアント装置と接続されないため、クライアント装置に対するクロックの配信と、再生中継装置とクライアント装置間のタイミング同期を考慮する必要が無い。そのため、共通機能部８５のクロック処理を行う構成は前述のように回路構成を簡略化した構成とすることが可能であり、機器コストを必要最低限に抑えることが可能である。
【００４６】
ＰＨＹ回路６０−５では伝送路符号の復号化処理を実施し、復号した通信パケットを識別回路９７−１へ転送する。なお、伝送路符号としてはノード間の通信方式に応じて６４Ｂ／６６Ｂ変換や８Ｂ／１０Ｂ変換などが用いられる。
【００４７】
識別回路９７−１は通過する通信パケットの終端要否を判定し、条件に応じてＭＡＣ回路６５−５または、スケジューラ回路９８−１もしくは、ＭＡＣ回路６５−５とスケジューラ回路９８−１の双方に向けて通信パケットを転送する。識別回路で終端が必要な通信パケットを識別することにより、再生中継装置を透過する通信パケットの場合、再生中継時に発生する遅延時間を必要最小限に抑えることが可能である。
【００４８】
スケジューラ回路９８−１では、ＭＡＣ回路６５−５と識別回路９７−１から転送されたパケットの送信順序を制御する。特に、単位時間内に送出するＯＡＭパケット数を制御することにより、ＯＡＭ用に割り当てられた帯域を超過しないように制御することが可能である。
【００４９】
ＰＨＹ回路６０−６では、セレクタ８２−２から入力されたクロック信号を基準として、スケジューラ回路９８−１から転送された通信パケットに対して必要に応じてパラレル・シリアル変換でシリアル化を行い、伝送路符号に応じた符号化処理を実施する。電気／光変換回路５５−３では、電気信号を光信号へ変換し伝送路へ送出する。
【００５０】
ＭＡＣ回路６５−５では、識別回路９７−１から送信された通信パケットのＦＣＳ（Ｆｒａｍｅ  Ｃｈｅｃｋ  Ｓｅｑｕｅｎｃｅ）値を確認し、誤りの有無を識別し、ＭＡＣヘッダおよびフッタを除去し、ＯＡＭ処理回路７０−２へ転送する。なお、ロジックとして組み込むことにより、誤りを検出した場合に通信フレームを破棄するか、破棄せずにＯＡＭ処理回路７０−２へ転送するかを監視制御装置から設定し、制御することが可能である。
【００５１】
ＯＡＭ処理回路７０−２では、受信した通信パケットに従った処理を行う。例えば、警報受信時の警報の終端処理や転送処理、障害発生時の警報生成処理、監視制御用通信を行うＤＣＣ（Ｄａｔａ  Ｃｏｍｍｕｎｉｃａｔｉｏｎ  Ｃｈａｎｎｅｌ）データの送受信処理、パフォーマンス測定データの送受信処理、監視制御機能部４５−２の指示によるテストメッセージの送受信処理などの処理を行う事が可能である。
【００５２】
上り方向と同様に、光／電気変換回路５０−４では、伝送路経由で受信した光信号を電気信号へと変換する。３Ｒ回路９１−２では、シリアル・パラレル変換によりパラレル化を行い、主信号に重畳されたクロック信号の抽出を行うことにより、波形整形、タイミング抽出、識別再生の３Ｒ機能を実現する。抽出したクロック信号は、共通機能部８５内のセレクタ８２−３へ供給を行う。セレクタ８２−３には、発振器８０−４からの出力も接続されており、主信号が断した場合などにセレクタ８２−３が発振器８０−４のクロック信号出力を選択することにより、ＰＨＹ回路６０−８へのクロック供給を継続することが可能である。セレクタ８２−３のクロック信号出力は、識別回路９７−２およびスケジューラ回路９８−２にも供給される。
【００５３】
ＰＨＹ回路６０−７では、伝送路符号の復号化処理を実施し、復号した通信パケットを識別回路９７−２へ転送する。なお、伝送路符号としてはノード間の通信方式に応じて６４Ｂ／６６Ｂ変換や８Ｂ／１０Ｂ変換などが用いられる。
【００５４】
識別回路９７−２は、通過する通信パケットの終端要否を判定し、条件に応じてＭＡＣ回路６５−６または、スケジューラ回路９８−２もしくは、ＭＡＣ回路６５−６とスケジューラ回路９８−２の双方に向けて通信パケットを転送する。識別回路で終端が必要な通信パケットを識別することにより、再生中継装置を透過する通信パケットの場合、再生中継時に発生する遅延時間を必要最小限に抑えることが可能である。スケジューラ回路９８−２では、ＭＡＣ回路６５−６と識別回路９７−２から転送されたパケットの送信順序を制御することにより、ＯＡＭ用に割り当てられた帯域を超過しないように制御することが可能である。
【００５５】
ＰＨＹ回路６０−８では、セレクタ８２−３から入力されたクロック信号を基準としてスケジューラ回路９８−２から転送された通信パケットに対して、必要に応じてパラレル・シリアル変換でシリアル化を行い、伝送路符号に応じた符号化処理を実施する。電気／光変換回路５５−４では、電気信号を光信号へ変換し伝送路へ送出する。
【００５６】
ＭＡＣ回路６５−６では、識別回路９７−２から送信された通信パケットのＦＣＳ値を確認して誤りの有無を識別し、ＭＡＣヘッダおよびフッタを除去してＯＡＭ処理回路７０−２へ転送する。なお、ロジックとして組み込むことにより、誤りを検出した場合に通信フレームを破棄するか、破棄せずにＯＡＭ処理回路７０−２へ転送するかを監視制御装置から設定し制御することが可能である。
【００５７】
光／電気変換回路５０−３、５０−４および電気／光変換回路５５−３、５５−４には、主信号の種別に応じてＧＢＩＣ、ＳＦＰ、ＸＥＮＰＡＣＫ、Ｘ２、ＸＦＰ、ＳＦＰ＋、ＱＳＦＰ、ＱＳＦＰ＋、ＣＦＰ  ＭＳＡなどの光モジュールが使用可能である。
【００５８】
再生中継装置１００−３をこのようにして構成した共通機能部８５、上り信号再生中継機能部９０、下り信号再生中継機能部９５を用いることにより、各部の回路構成を簡略化でき、再生中継時にかかる機器コストを低減することが可能である。
【００５９】
次に、ＭＡＣフレームのメッセージフォーマットについて図８を用いて説明する。ＭＡＣフレームは、ＰＲＥＡＭＢＬＥ／ＳＦＤ（Ｓｔａｒｔ  Ｆｒａｍｅ  Ｄｅｌｉｍｉｔｅｒ）フィールド６０１、ＤＥＳＴＩＮＡＴＩＯＮ  ＭＡＣ（Ｍｅｄｉａ  Ａｃｃｅｓｓ  Ｃｏｎｔｒｏｌ） ＡＤＤＲＥＳＳフィールド６０２、ＳＯＵＲＣＥ  ＭＡＣ  ＡＤＤＲＥＳＳフィールド６０３、ＬＥＮＧＴＨ／ＴＹＰＥフィールド６０４、ＳＵＢ  ＴＹＰＥフィールド６０５、ＰＡＹＬＯＡＤフィールド６０６、ＦＣＳ（Ｆｒａｍｅ  Ｃｈｅｃｋ  Ｓｅｑｕｅｎｃｅ）フィールド６０７から構成される。ＰＲＥＡＭＢＬＥ／ＳＦＤフィールド６０１は、通信フレームの開始をノードに認識させる為に使用する。ＤＥＳＴＩＮＡＴＩＯＮ  ＭＡＣ ＡＤＤＲＥＳＳフィールド６０２は、宛先ノードを識別する為のアドレス情報が格納される。ＳＯＵＲＣＥ  ＭＡＣ  ＡＤＤＲＥＳＳフィールド６０３には、送信ノードを識別するアドレス情報が格納される。ＬＥＮＧＴＨ／ＴＹＰＥフィールド６０４には、ＭＡＣフレームに格納されている情報の種別を示す情報が格納される。ＳＵＢ  ＴＹＰＥフィールド６０５には、ＭＡＣフレームに格納されている情報の種別を更に細分化する為の情報が格納される。ＰＡＹＬＯＡＤフィールド６０６には、通信する情報が格納される。ＦＣＳフィールド６０７は、ＤＥＳＴＩＮＡＴＩＯＮ  ＭＡＣ ＡＤＤＲＥＳＳフィールド６０２の先頭からＰＡＹＬＯＡＤフィールド６０６の末尾までを対象として算出したＣＲＣ（Ｃｙｃｌｉｃ Ｒｅｄｕｎｄａｎｃｙ Ｃｈｅｃk）値が格納される。ノードにおいて受信したＭＡＣフレームからＣＲＣ値を算出し、受信したＭＡＣフレームに含まれるＦＣＳ値を比較する事により、受信したＭＡＣフレームにエラーが含まれているかどうかを判断することが可能である。
【００６０】
次に、ＭＰＬＳ  ＯＡＭパケットのメッセージフォーマットについて図９を用いて説明する。ＭＰＬＳ  ＯＡＭメッセージは、ＵＳＥＲ  ＬＡＢＥＬフィールド６１１、ＯＡＭ  ＬＡＢＥＬフィールド６１２、ＭＰＬＳ  ＯＡＭ ＰＡＹＬＯＡＤフィールド６１３から構成されている。通信方式としてイーサネットを用いる場合、ＭＰＬＳ  ＯＡＭメッセージは、イーサネットフレームのＰＡＹＬＯＡＤ６０６に格納される。さらに、ＭＰＬＳ  ＯＡＭ ＰＡＹＬＯＡＤフィールド６１３は、ＦＵＮＣＴＩＯＮ ＴＹＰＥフィールド６２１、ＭＰＬＳ  ＯＡＭ ＨＥＡＤＥＲフィールド６２２、ＬＳＰ  ＴＴＳＩ（Ｔｒａｉｌ  Ｔｅｒｍｉｎａｔｉｏｎ  Ｓｏｕｒｃｅ  Ｉｄｅｎｔｉｆｉｅｒ）フィールド６２３、ＭＰＬＳ  ＯＡＭ  ＤＡＴＡフィールド６２４、ＢＩＰ（Ｂｉｔ  Ｉｎｔｅｒｌｅａｖｅｄ  Ｐａｒｉｔｙ）１６フィールド６２５から構成される。ＦＵＮＣＴＩＯＮ ＴＹＰＥフィールド６２１には、ＭＰＬＳ  ＯＡＭ  ＤＡＴＡフィールド６２４に格納されている情報の種別を識別することが可能な情報が格納されている。ＭＰＬＳ  ＯＡＭ ＨＥＡＤＥＲフィールド６２２には、ＭＰＬＳ  ＯＡＭ  ＤＡＴＡフィールド６２４に格納されている情報に応じたヘッダ情報が格納される。ＬＳＰ  ＴＴＳＩフィールド６２３には、ＬＳＰを識別する情報が格納される。ＭＰＬＳ  ＯＡＭ  ＤＡＴＡフィールド６２４には、ＣＶ（Ｃｏｎｎｅｃｔｉｖｉｔｙ Ｖｅｒｉｆｉｃａｔｉｏｎ）、ＦＤＩ（Ｆｏｒｗａｒｄ  Ｄｅｆｅｃｔ  Ｉｎｄｉｃａｔｏｒ）、ＢＤＩ（Ｂａｃｋｗａｒｄ  Ｄｅｆｅｃｔ  Ｉｎｄｉｃａｔｏｒ）、ＬＢ−Ｒｅｑ（Ｌｏｏｐｂａｃｋ  Ｒｅｑｕｅｓｔ）、性能情報、ＬＢ−Ｒｓｐ（Ｌｏｏｐｂａｃｋ  Ｒｅｓｐｏｎｓｅ）、ＦＦＤ（Ｆａｓｔ  Ｆａｉｌｕｒｅ  Ｄｅｔｅｃｔｉｏｎ）などの情報が格納される。ＭＰＬＳ  ＯＡＭパケットを用いることにより、ＣＶによる接続性検証、ＦＤＩによる前方障害通知、ＢＤＩによる後方警報通知、性能情報の通知、ＬＢ−Ｒｅｑ、ＬＢ−Ｒｓｐを使用したループバック試験、ＦＦＤによる高速障害検出などを実現することが可能である。
【００６１】
次に、ラベルのフォーマットについて図１０を用いて説明する。ラベルは、ＬＡＢＥＬフィールド６５１、ＥＸＰ(Ｅｘｐｅｒｉｍｅｎｔａｌ  Ｕｓｅ)ｂｉｔフィールド６５２、Ｓ（Ｂｏｔｔｏｍ  ｏｆ  Ｓｔａｃｋ）ｂｉｔフィールド６５３、ＴＴＬ（Ｔｉｍｅ  ｔｏ  Ｌｉｖｅ）フィールド６５４から構成される。  ＬＡＢＥＬフィールド６５１には、２０ｂｉｔ長のラベル値が格納される。ＯＡＭラベルの場合は、"１４"がセットされる。０〜１５は特別な用途で予約済であり、ＵＳＥＲ  ＬＡＢＥＬ６１１では０〜１５以外の任意の値が使用される。なお、本明細書中においてＵＳＥＲ  ＬＡＢＥＬとＯＡＭ  ＬＡＢＥＬを区別する必要が無い場合は、ラベルまたはＬＡＢＬＥという呼称を用いる。
【００６２】
次に、イーサネットＯＡＭパケットのメッセージフォーマットを図１１を用いて説明する。イーサネットＯＡＭにおけるＥＴＨ−ＭＣＣメッセージは、ＥＴＨＥＲＮＥＴ  ＯＡＭ  ＯＨ７０１、ＥＴＨＥＲＮＥＴ  ＯＡＭ  ＰＡＹＬＯＡＤ７０２、ＥＮＤ  ＴＬＶ７０３から構成さる。イーサネットＯＡＭメッセージは、ＭＡＣフレームのＰＡＹＬＯＡＤ６０６に格納される。ＥＴＨＥＲＮＥＴ  ＯＡＭ  ＰＡＹＬＯＡＤ７０２には、ＥＴＨ-ＣＣ（Ｅｔｈｅｒｎｅｔ ｃｏｎｔｉｎｕｉｔｙ ｃｈｅｃｋ）、ＥＴＨ-ＬＢ（Ｅｔｈｅｒｎｅｔ ｌｏｏｐｂａｃｋ）、ＥＴＨ-ＬＴ（Ｅｔｈｅｒｎｅｔ ｌｉｎｋ ｔｒａｃｅ）、ＥＴＨ-ＡＩＳ（Ｅｔｈｅｒｎｅｔ ａｌａｒｍ ｉｎｄｉｃａｔｉｏｎ ｓｉｇｎａｌ）、ＥＴＨ-ＲＤＩ（Ｅｔｈｅｒｎｅｔ ｒｅｍｏｔｅ ｄｅｆｅｃｔ ｉｎｄｉｃａｔｉｏｎ）、ＥＴＨ-ＬＣＫ（Ｅｔｈｅｒｎｅｔ ｌｏｃｋｅｄ ｓｉｇｎａｌ）、ＥＴＨ-Ｔｅｓｔ（Ｅｔｈｅｒｎｅｔ ｔｅｓｔ ｓｉｇｎａｌ）、ＥＴＨ-ＡＰＳ（Ｅｔｈｅｒｎｅｔ ａｕｔｏｍａｔｉｃ ｐｒｏｔｅｃｔｉｏｎ ｓｗｉｔｃｈｉｎｇ）、ＥＴＨ-ＭＣＣ（Ｅｔｈｅｒｎｅｔ ｍａｉｎｔｅｎａｎｃｅ  ｃｏｍｍｕｎｉｃａｔｉｏｎ ｃｈａｎｎｅｌ）、ＥＴＨ-ＥＸＰ（Ｅｔｈｅｒｎｅｔ ｅｘｐｅｒｉｍｅｎｔａｌ ＯＡＭ）、ＥＴＨ-ＶＳＰ（Ｅｔｈｅｒｎｅｔ ｖｅｎｄｏｒ-ｓｐｅｃｉｆｉｃ ＯＡＭ）、ＥＴＨ-ＬＭ（Ｆｒａｍｅ ｌｏｓｓ ｍｅａｓｕｒｅｍｅｎｔ）、ＥＴＨ-ＤＭ（Ｆｒａｍｅ ｄｅｌａｙ ｍｅａｓｕｒｅｍｅｎｔ）、性能測定情報などの各種データが格納される。ＥＴＨ−ＶＳＰは、機器ベンダがカスタマイズして使用することが可能であり、機器ベンダは、ＥＴＨ−ＶＳＰを用いることにより不足している機能を独自仕様として実装することが可能となっている。
【００６３】
一例として、ＥＴＨ−ＭＣＣの場合におけるメッセージフォーマットを説明する。ＥＴＨ−ＭＣＣの場合、ＥＴＨＥＲＮＥＴ  ＯＡＭ  ＯＨ７０１は、ＭＥＬ７１１、ＶＥＲＳＩＯＮ７１２、ＯｐＣｏｄｅ７１３、ＦＬＡＧＳ７１４、ＴＬＶ  ＯＦＦＳＥＴ７１５から構成される。  また、ＥＴＨ−ＭＣＣの場合、ＥＴＨＥＲＮＥＴ  ＯＡＭ  ＰＡＹＬＯＡＤ７０２は、ＯＵＩ７２１、Ｓｕｂ  Ｏｐ  Ｃｏｄｅ７２２、通信するデータの内容を格納するＭＣＣ  ＤＡＴＡ７２３から構成される。ＭＣＣ  ＤＡＴＡ７２３のフィールド長を１２８Ｂｙｔｅ長とし、ＥＴＨ−ＭＣＣメッセージを１ミリ秒周期で送信することにより、１０２４ｋｂｉｔ／ｓの帯域が使用可能となる。そのため、ＥＴＨ−ＭＣＣのＭＣＣ  ＤＡＴＡ７２３内に監視制御情報を格納する事により、ＳＯＮＥＴ／ＳＤＨにおけるＤＣＣおよびオーダーワイヤ相当の機能を実現可能である。なお、本明細書では、ＭＰＬＳ  ＯＡＭパケット、イーサネットＯＡＭパケット、ＭＰＬＳ−ＴＰ  ＯＡＭパケットなど監視制御用の通信メッセージの総称として"ＯＡＭパケット"という呼称を用いる。なお、通信パケットという総称には、ＯＡＭパケットも含まれる。
【００６４】
次に識別回路における処理を図１２を用いて説明する。なお、本処理は識別回路を通過する全ての通信パケットに対して実行される。識別回路は、最初にＳ９０1で通過する通信パケットに対する透過・終端・廃棄の各処理の要否を識別条件に従って判定する。次に、Ｓ９０２で透過要否を判定し、透過が必要な場合は、Ｓ９０３でスケジューラ回路に通信パケットを転送する。次に、Ｓ９０４で終端要否を判定し、終端が必要な場合は、Ｓ９０５でＭＡＣ回路に通信パケットを転送する。次に、Ｓ９０６で識別回路上の該当通信パケットを廃棄する。そのため、Ｓ９０１で廃棄と判定された通信パケットは、識別回路において廃棄される。
【００６５】
次に識別回路の動作を規定する識別条件について図１３を用いて説明する。識別条件は、Ｎｏ（８０１−１）の１番から順に照合し、最初に適合した条件が適用される。識別条件は、複数の条件を組み合わせることが可能であり、ＭＡＣフレームのＤＥＳＴＩＮＡＴＩＯＮ  ＭＡＣ  ＡＤＤＲＥＳＳフィールド値（８０２−１）、ＭＡＣフレームのＴＹＰＥ／ＬＥＮＧＴＨフィールド値（８０３−１）、ＭＰＬＳ  ＯＡＭパケットのＬＡＢＥＬフィールド値（８０４−１）、ＭＰＬＳ  ＯＡＭパケットのＦＵＮＣＴＩＯＮ  ＴＹＰＥフィールド値（８０５−１）、ＭＰＬＳ  ＯＡＭパケットのＬＳＰ ＴＴＳＩフィールド値（８０６−１）、イーサネットＯＡＭパケットのＭＥＬフィールド値（８０７−１）、イーサネットＯＡＭパケットのＯｐＣｏｄｅフィールド値（８０８−１）などを使用することが可能である。なお、前記以外にもＭＡＣフレームのＳＯＵＲＣＥ ＭＡＣ ＡＤＤＲＥＳＳフィールド値、ＳＵＢ ＴＹＰＥフィールド値、ＰＡＹＬＯＡＤフィールド値、ＭＰＬＳ  ＯＡＭパケットのＭＰＬＳ  ＯＡＭ  ＨＥＡＤＥＲフィールド値、ＭＰＬＳ  ＯＡＭ  ＤＡＴＡフィールド値、ラベルに含まれるＥＸＰ  ｂｉｔフィールド値、Ｓ  ｂｉｔフィールド値、ＴＴＬフィールド値、などを必要に応じて追加してよい。
【００６６】
イーサネットＯＡＭパケットのＥＴＨＥＲＮＥＴ  ＯＡＭ  ＯＨ内のＶＥＲＳＩＯＮフィールド値、ＦＬＡＧＳフィールド値、ＴＬＶ  ＯＦＦＳＥＴフィールド値、ＥＴＨＥＲ  ＯＡＭ  ＰＡＹＬＯＡＤ内の各種フィールド値などを必要に応じて追加することにより識別条件として使用することが可能である。ＡＣＴＩＯＮ（８０９−１）には、"ＴＲＡＮＳＰＡＲＥＮＴ  ＆  ＴＥＲＭＩＮＡＴＩＯＮ"（透過かつ終端）や"ＴＲＡＮＳＰＡＲＥＮＴ"（透過）、"ＴＥＲＭＩＮＡＴＩＯＮ"（終端）等、条件に適合した場合に実行する動作が保持されている。識別条件として使用しない場合や常時適合と判定する条件の場合は、"ＡＮＹ"を保持する。最終行に全ての識別条件が"ＡＮＹ"かつＡＣＴＩＯＮ（８０９−１）が"ＴＲＡＮＳＰＡＲＥＮＴ"（透過）の条件を記載しておくことにより、いずれの条件にも適合しなかった通信パケットは、透過されることが保証される。
【００６７】
通信パケットを終端する場合は、受信通信パケットに対して通信レイヤに応じた終端処理を行う。イーサネットを用いる場合は、宛先ＭＡＣアドレス解析、ＦＣＳを用いたエラー解析などの終端処理を行う。通信パケットを透過させる場合は、受信した通信パケットをそのままの状態で伝送する。通信パケットに対して終端と透過の双方を実施する場合は、識別回路９７−１、９７−２において通信パケットを複製し、ＭＡＣ回路６５−５、６５−６およびスケジューラ回路９８−１、９８−２に対して通信パケットを送信することにより実現する。
【００６８】
Ｎｏ１の条件では、ＭＡＣフレームのＤＥＳＴＩＮＡＴＩＯＮ  ＭＡＣ  ＡＤＤＲＥＳＳフィールド値（８０２−１）が"ＢＲＯＡＤＣＡＳＴ"すなわちＦＦ−ＦＦ−ＦＦ−ＦＦ−ＦＦ−ＦＦの場合、ＡＣＴＩＯＮ（８０９−１）の"ＴＲＡＮＳＰＡＲＥＮＴ  ＆  ＴＥＲＭＩＮＡＴＩＯＮ"規定に従って、図１２の実行処理判定Ｓ９０１で、終端要かつ透過要と判断される。
【００６９】
Ｎｏ２の条件では、ＭＡＣフレームのＤＥＳＴＩＮＡＴＩＯＮ  ＭＡＣ  ＡＤＤＲＥＳＳフィールド値（８０２−１）が"他ノード宛 ＵＮＩＣＡＳＴ"の場合は、ＡＣＴＩＯＮ（８０９−１）の"ＴＲＡＮＳＰＡＲＥＮＴ"規定に従って、図１２の実行処理判定Ｓ９０１で、透過要と判断される。
【００７０】
Ｎｏ３の条件では、ＭＡＣフレームのＴＹＰＥ／ＬＥＮＧＴＨフィールド値（８０３−１）が、ＥＳＭＣパケットであることを示す"０ｘ８８０９"の場合、ＡＣＴＩＯＮ（８０９−１）の"ＴＲＡＮＳＰＡＲＥＮＴ"規定に従って、図１２の実行処理判定Ｓ９０１で、透過要と判断される。このように、ＥＭＳＣパケットのようなＯＡＭパケットであったとしても、透過させることが可能である。
【００７１】
Ｎｏ４の条件では、ＭＡＣフレームのＴＹＰＥ／ＬＥＮＧＴＨフィールド値（８０３−１）が、ユニキャストＭＰＬＳ  ＯＡＭパケットであることを示す"０ｘ８８４７"であり、ＭＰＬＳ  ＯＡＭパケットのＬＡＢＥＬフィールド値（８０４−１）が１４であり、ＭＰＬＳ  ＯＡＭパケットのＦＵＮＣＴＩＯＮ  ＴＹＰＥフィールド値（８０５−１）が、ＦＤＩを示す"０ｘ０２"の場合、ＡＣＴＩＯＮ（８０９−１）の"ＴＲＡＮＳＰＡＲＥＮＴ"規定に従って、図１２の実行処理判定Ｓ９０１で、透過要と判断される。
【００７２】
Ｎｏ５の条件では、ＭＡＣフレームのＴＹＰＥ／ＬＥＮＧＴＨフィールド値（８０３−１）が、ユニキャストＭＰＬＳ  ＯＡＭパケットであることを示す"０ｘ８８４７"であり、ＭＰＬＳ  ＯＡＭパケットのＬＡＢＥＬフィールド値（８０４−１）が"１４"であり、ＭＰＬＳ  ＯＡＭパケットのＦＵＮＣＴＩＯＮ  ＴＹＰＥフィールド値（８０５−１）が、ＢＤＩを示す"０ｘ０２"の場合、ＡＣＴＩＯＮ（８０９−１）の"ＴＲＡＮＳＰＡＲＥＮＴ"規定に従って、図１２の実行処理判定Ｓ９０１で、透過要と判断される。
【００７３】
Ｎｏ６の条件では、ＭＡＣフレームのＴＹＰＥ／ＬＥＮＧＴＨフィールド値（８０３−１）が、ユニキャストＭＰＬＳ  ＯＡＭパケットであることを示す"０ｘ８８４７"であり、ＭＰＬＳ  ＯＡＭパケットのＬＡＢＥＬフィールド値（８０４−１）が"１４"である場合、ＡＣＴＩＯＮ（８０９−１）の"ＴＥＲＭＩＮＡＴＩＯＮ"の規定に従って、図１２の実行処理判定Ｓ９０１で、終端要と判断される。
【００７４】
Ｎｏ７の条件では、ＭＡＣフレームのＴＹＰＥ／ＬＥＮＧＴＨフィールド値（８０３−１）が、マルチキャストＭＰＬＳ  ＯＡＭパケットであることを示す"０ｘ８８４８"であり、ＭＰＬＳ  ＯＡＭパケットのＬＡＢＥＬフィールド値（８０４−１）が"１４"である場合、ＡＣＴＩＯＮ（８０９−１）のＴＲＡＮＳＰＡＲＥＮＴ  ＆  ＴＥＲＭＩＮＡＴＩＯＮ"の規定に従って、図１２の実行処理判定Ｓ９０１で、透過要かつ終端要と判断される。
【００７５】
Ｎｏ８の条件では、ＭＡＣフレームのＴＹＰＥ／ＬＥＮＧＴＨフィールド値（８０３−１）が、イーサネットＯＡＭであることを示す"０ｘ８９０２"であり、ＭＥＬ（８０７−１）が"０"である場合、ＡＣＴＩＯＮ（８０９−１）の"ＴＲＡＮＳＰＡＲＥＮＴ"規定に従って、図１２の実行処理判定Ｓ９０１で、透過要と判断される。
【００７６】
Ｎｏ９の条件では、ＭＡＣフレームのＴＹＰＥ／ＬＥＮＧＴＨフィールド値（８０３−１）が、イーサネットＯＡＭであることを示す"０ｘ８９０２"であり、ＭＥＬフィールド値（８０７−１）が"１"である場合、ＡＣＴＩＯＮ（８０９−１）の"ＴＥＲＭＩＮＡＴＩＯＮ"の規定に従って、図１２の実行処理判定Ｓ９０１で、終端要と判断される。
【００７７】
このような識別条件を規定することにより、識別回路で条件に応じた各種動作を実行することが可能となり、ＭＰＬＳ  ＯＡＭのようにＭＥＬを用いた階層化が不可能なプロトコルを使用する場合でも、階層化構造を構築することが可能になる。更にイーサネットＯＡＭ、ＭＰＬＳ  ＯＡＭ、ＭＰＬＳ−ＴＰ  ＯＡＭなどの各種ＯＡＭプロトコルが混在する場合でも柔軟に階層構造を構築することが可能である。また、イーサネットＯＡＭについてもＯｐＣｏｄｅ（８０８−１）などを識別条件に追加することにより、更に階層構造を柔軟に構成することが可能となる。
【００７８】
識別回路９７−１、９７−２をＦＰＧＡ（Ｆｉｅｌｄ-Ｐｒｏｇｒａｍｍａｂｌｅ Ｇａｔｅ Ａｒｒａｙ）などを用いて構成し、識別条件を変更可能なロジックとして保持するか、ネットワークプロセッサやＣＰＵを用いて構成し、識別条件を変更可能なデータベースとして保持することにより、監視制御装置４００−３を用いて識別条件を動的に変更することが可能である。
【００７９】
次に図１４を用いて識別条件の別の例を説明する。図１４では、図１３の例に対してＮｏ８の条件が追加されている。Ｎｏ８の条件は、ＭＡＣフレームのＴＹＰＥ／ＬＥＮＧＴＨフィールド値（８０３−２）が、イーサネットＯＡＭであることを示す"０ｘ８９０２"であり、イーサネットＯＡＭのＯｐＣｏｄｅフィールド値がＥＴＨ−ＴＳＴ（Ｅｔｈｅｒｎｅｔ−Ｔｅｓｔ）を示す"３７"の場合は、ＡＣＴＩＯＮ（８０９−２）の"ＤＲＯＰ"の規定に従って、図１２の実行処理判定Ｓ９０１で、廃棄要と判断される。このように、ＡＣＴＩＯＮ（８０９−２）で"ＤＲＯＰ"（廃棄）という条件を設定することにより、特定条件の通信パケットを廃棄することが可能である。このような条件を設定することにより、通信パケットの欠落など、障害発生時の挙動を模擬することが可能であり、検証用設備などで障害時の挙動などを確認する際に活用することが可能となる。また、識別回路９７−１と識別回路９７−２で異なる識別条件を規定することにより、特殊な条件下における挙動を再現させることも可能である。
【符号の説明】
【００８０】
１０−１、１０−２・・・高速インタフェース盤
１５−１、１５−２・・・インタフェース回路
２０−１・・・スイッチ機能部
２５−１・・・クロック機能部
３０−１〜３０−Ｎ・・・低速インタフェース盤
４０−１・・・監視制御バス
４５−１・・・監視制御機能部
５０−１、５０−２・・・光／電気変換回路
５５−１、５５−２・・・電気／光変換回路
６０−１〜６０−４・・・ＰＨＹ回路
６５−１〜６５−４・・・ＭＡＣ回路
７０−１、７０−２・・・ＯＡＭ処理回路
８０−１〜８０−４・・・発振器
８２−１〜８２−３・・・セレクタ
８３−１、８３−２・・・ＥＥＣ回路
８４−１〜８４−５・・・ＳＳＵ
８５・・・共通機能部
８６−１、８６−２・・・クロック回路
９０・・・上り信号再生中継機能部
９１−１、９１−２・・・３Ｒ回路
９５・・・下り信号再生中継機能部
９７−１、９７−２・・・識別回路
９８−１、９８−２・・・スケジューラ回路
１００−１〜１００−３・・・再生中継装置
１０１−１・・・ＳＤＨ再生中継装置
２００−１〜２００−１５・・・ノード装置
２０１−１、２００−２・・・ＳＤＨノード装置
２１０−１・・・端局セクション
２１５−１、２１５−２・・・中継セクション
３００−１〜３００−１２・・・クライアント装置
４００−１、４００−２・・・監視制御装置
【図１】
2012253528.tif 000007
【図２】
2012253528.tif 000008
【図３】
2012253528.tif 000009
【図４】
2012253528.tif 000010
【図５】
2012253528.tif 000011
【図６】
2012253528.tif 000012
【図７】
2012253528.tif 000013
【図８】
2012253528.tif 000014
【図９】
2012253528.tif 000015
【図１０】
2012253528.tif 000016
【図１１】
2012253528.tif 000017
【図１２】
2012253528.tif 000018
【図１３】
2012253528.tif 000019
【図１４】
2012253528.tif 000020
【図１５】
2012253528.tif 000021